(57)【要約】【課題】コンパクトディスク等再生用ディスクに記録されているデジタルデータを、不正コピーを防止しながら他の記録メディアにより高速に圧縮して記録する。【解決手段】再生手段１にＣＤが装着されると、コントローラ２はネットワーク５を経由してデータベースサーバ６にアクセスし、装着されたＣＤに対するアルバム情報を検索する。該当する情報を見つけた場合は該ＣＤが市販のＣＤであると判断し、電子透かし検出手段４の動作を停止させる。それにより生じた処理余力をエンコード処理に割り振ることで、より高速なエンコード処理を行う。【選択図】図１
2005129123.tif 000002
【特許請求の範囲】
【請求項１】
符号化するためのストリームを発生するストリーム発生手段と、
前記ストリームより電子透かし情報を検出する電子透かし検出手段と、
前記電子透かし検出手段によって検出された電子透かし情報に基づき、前記ストリームの圧縮処理を行うエンコード手段と、
前記ストリーム発生手段により発生させたストリームが複製を許可されたものであるか否かを判別し、その判別結果に基づき、前記電子透かし検出手段による検出処理を停止させる制御手段と、を備えたことを特徴とする符号化装置。
【請求項２】
前記電子透かし検出手段と前記エンコード手段は、同一のデジタル信号処理装置であり、夫々の機能は時分割で用いることにより行われている処理であり、
前記エンコード手段は、前記電子透かし検出手段による検出処理が停止された時には、トリームの圧縮処理を前記電子透かしの検出処理が行われる場合よりも高速に行うことを特徴とする請求項１記載の符号化装置。
【請求項３】
前記制御手段は、種々のストリームに対する各種情報が登録されているデータベースサーバに接続して該データベースサーバに登録されている情報を検索し、検索情報に基づいて前記ストリームが複製を許可されたものかどうかを判別するものであることを特徴とする請求項１記載の符号化装置。
【請求項４】
前記ストリーム発生手段は、再生用ディスクに記録されているオーディオデータより音声信号を読出し再生手段であり、
前記制御手段は、前記制御手段により再生されているディスクに該当する情報を検出した場合は前記電子透かし検出手段による検出処理を停止させるようにしたことを特徴とする請求項１記載の符号化装置。
【発明の詳細な説明】
【技術分野】
【０００１】
本発明はコンパクトディスク(以下ＣＤという)等の再生用ディスクに記録されている音楽データ等を、他の記録メディアに圧縮して記録する符号化装置に関するものである。
【背景技術】
【０００２】
従来、再生用ディスクに記録されている音楽データ等を、他の記録メディアに圧縮して記録する符号化装置としては特許文献１に記載されたものが知られている。この符号化装置は、電子透かし（ウォーターマークとも呼ばれる）データ及びデジタルデータの形式でコピー制御管理情報を含んだデジタルデータ記録媒体を再生して他の記録媒体に記録するものである。この装置では記録の際に、記録媒体を再生して出力データから暗号を検出してデジタルコピー制御管理情報を読み出すとともに、デジタル形式のオーディオやビデオ信号から電子透かしコピー制御管理情報を読み出す。そして再生中のデジタルオーディオコンテンツ単位あるいはデジタルビデオコンテンツ単位に暗号を検出し、暗号化されている場合は前記デジタルコピー制御管理情報に基づいて再生制御を行い、暗号化されていない場合は前記電子透かしコピー制御管理情報に基づいて再生制御を行う、というものである。
【特許文献１】特開２００１−２２９６１２号公報、第１頁
【発明の開示】
【発明が解決しようとする課題】
【０００３】
しかしながら上記のような構成では、ＣＤのような私的利用に限り複製が認められているものについても、電子透かしを検出する必要があった。なぜならＣＤ用の再生手段より再生されていることが明確なストリームであっても、それが私的に作成された追記型ＣＤの場合があり得るからである。私的に作成されたＣＤでは、電子透かしによって複製禁止したものも考えられる。これがＣＤ用再生手段によって再生される際に、ＣＤでは私的利用に限り複製が認められているということで電子透かし検出を行わないか、或いは割愛した場合には、複製してはならないものの複製処理を行ってしまうという課題があった。
【０００４】
本発明は上記の問題点に鑑み、私的利用に限り複製が認められているものについては電子透かし検出処理を省略し、それにより得られる信号処理能力の余力をエンコードに振り向けることにより、より高速にストリームの符号化処理が行える符号化装置を提供するものである。
【課題を解決するための手段】
【０００５】
本願の請求項１の発明は、符号化するためのストリームを発生するストリーム発生手段と、前記ストリームより電子透かし情報を検出する電子透かし検出手段と、前記電子透かし検出手段によって検出された電子透かし情報に基づき、前記ストリームの圧縮処理を行うエンコード手段と、前記ストリーム発生手段により発生させたストリームが複製を許可されたものであるか否かを判別し、その判別結果に基づき、前記電子透かし検出手段による検出処理を停止させる制御手段と、を備えたことを特徴とするものである。これによりそのストリームが複製可能であるか否かを電子透かし情報の検出を行うことなく判断でき、電子透かし情報を検出するために要する処理能力をストリームの圧縮処理にふりむけることができる。
【０００６】
請求項２の発明は、請求項１の符号化装置において、前記電子透かし検出手段と前記エンコード手段は、同一のデジタル信号処理装置であり、夫々の機能は時分割で用いることにより行われている処理であり、前記エンコード手段は、前記電子透かし検出手段による検出処理が停止された時には、トリームの圧縮処理を前記電子透かしの検出処理が行われる場合よりも高速に行うことを特徴とするものである。これにより電子透かし情報の検出処理が不要な場合はその検出処理に要する処理能力を容易にストリームの圧縮処理に振り向けられ、これにより、より高速な圧縮処理を行うことができる。
【０００７】
請求項３の発明は、請求項１の符号化装置において、前記制御手段は、種々のストリームに対する各種情報が登録されているデータベースサーバに接続して該データベースサーバに登録されている情報を検索し、検索情報に基づいて前記ストリームが複製を許可されたものかどうかを判別するものであり、これにより確実にそのストリームが複製可能であるか否かを判断することができる。
【０００８】
請求項４の発明は、請求項１の符号化装置において、前記ストリーム発生手段は、再生用ディスクに記録されているオーディオデータより音声信号を読出し再生手段であり、前記制御手段は、前記制御手段により再生されているディスクに該当する情報を検出した場合は前記電子透かし検出手段による検出処理を停止させるようにしたものである。これにより再生しているディスクに該当する情報がデータベースサーバにある場合は該ディスクは市販のディスクと判断できるため、私的利用を目的とする複製は可能であるので、電子透かし情報の検出を行わないことができる。
【発明の効果】
【０００９】
以上のように本発明によれば、記録媒体の種類によって電子透かしを検出する必要のないものについてはそれを省略することができるので、電子透かし検出に要する処理能力をエンコード処理に振り向けることにより、より高速にエンコード処理を行うことができるという効果が得られる。
【発明を実施するための最良の形態】
【００１０】
以下、本発明の実施の形態について図面を用いて説明する。図１は本発明による符号化装置の実施の形態を表すブロック図である。ストリームを発生するストリーム発生手段として、ここではＣＤを再生する再生手段１とする。コントローラ２にはエンコード手段３、電子透かし検出手段４が接続され、更にネットワーク５を介してデータベースサーバ６に接続されている。コントローラ２はデータベースサーバ６をアクセスすることにより必要な情報が取得できるようになっている。ここではネットワーク５としては例えばインターネットである。また、データベースサーバ６としては、例えば、一般に公開されている「ＣＤＤＢ」があるが、これに限ったものではなく、例えば、ＣＤに書き込まれているＴＯＣデータからＣＤが特定できるような情報を備えたデータベースであれば良い。
【００１１】
コントローラ２はエンコード手段３と電子透かし検出手段４に対して再生手段１より得られたストリームを与えるとともに、電子透かし検出手段４に対しては、その検出機能を停止できるよう制御信号を与えるものである。ここでコントローラ２は得られたＣＤのＴＯＣデータからデータベースを検索し、検索して得られたアルバム情報の有無に基づいて市販されているＣＤか私的に製作されたＣＤかを判別し、その判別結果に基づいて電子透かし検出手段４による検出処理を停止させるかどうかを制御する制御手段の機能を達成している。
【００１２】
電子透かし検出手段４は入力されるストリームに埋め込まれた電子透かし情報を検出し、検出結果に基づきエンコード手段３に対して制御信号を出力するものである。即ち、電子透かし情報が検出され、それが「複製不可」を示している場合は、エンコード手段３に対してエンコード処理を強制停止させ、それ以外の場合は通常どおりのエンコード処理を行わせる。エンコード手段３は入力されたストリームを圧縮するものであり、情報圧縮されたストリームは記憶手段７に書き込まれる。
【００１３】
本実施の形態では電子透かし検出手段４とエンコード手段３はデジタル信号処理装置（以下、ＤＳＰという）によって構成されており、ここでは一個のＤＳＰを時分割で用いるようになっている。
【００１４】
次にこの符号化装置の動作を図２の処理のフローとともに説明すると、再生手段１にＣＤが装着されると、コントローラ２は再生手段１に対してそのＣＤよりＴＯＣデータの送信要求を行い（ステップ２０）、再生手段１より送られてきたＴＯＣデータを受信する（ステップ２１）。コントローラ２はこのＴＯＣデータを用い、ネットワーク５を利用してデータベースサーバ６にアクセスし、このＣＤに対応するアルバム情報の有無を検索する（ステップ２２）。
【００１５】
アルバム情報が見つからない場合には、ステップ２３に進む。ここではエンコード手段３がストリームを圧縮する速度の限界が４倍速となるエンコード手段を用いているものとし、ストリーム転送レートを４倍にセットしている。アルバム情報が見つからない場合とは、ＴＯＣデータが一般大衆に向けて市販されているＣＤのものと異なり、即ち、装着されたＣＤが私的に制作されたものであることを意味する。故に、どのようなコンテンツがそのストリームに含まれているか不明であるので、電子透かし情報を検出すべくセッティングを行う。即ち、ステップ２４において、ストリームの転送を開始すると同時に、電子透かし検出をも行いながらエンコード処理を開始する。
【００１６】
ストリームに対する電子透かし検出とエンコード処理を順次行っていく中で、電子透かし情報が検出され、それが複写不可を示している場合はエンコード処理を終了する（ステップ２８）。また、ストリームが終了した場合もエンコード処理を終了する（ステップ２９）。
【００１７】
一方ステップ２２においてアルバム情報が見つかった場合は、ステップ２２からステップ２５に進む。アルバム情報が見つかった場合とは、装着されたＣＤが一般大衆に向けて市販されているものと同一であることを意味する。市販されているＣＤでは、その規格により電子透かしを入れる場合においては「複製禁止」を表すコードを入れてはならないこととなっているので、仮にこのＣＤから得られるストリームの電子透かし検出をおこなっても「複製禁止」を示すコードが得られることはなく、少なくとも１回は私的利用目的の複製品を作る、即ちエンコード処理を行ってもよいことになる。
【００１８】
故に、アルバム情報が見つかった場合はステップ２５において電子透かし検出手段４に対し、その検出機能を停止させる。前述のように、電子透かし検出とストリームのエンコードは同一のＤＳＰを用いて行っているので、電子透かしを停止するとその検出に用いていた処理能力をエンコード処理に充当することが可能であり、エンコード速度をより高速化できる。そこで、ストリーム転送レートをアルバム情報検索ができなかった場合より高く、例えば４倍より１．５倍高い６倍に設定し、より高速なエンコード処理を行うようにしている（ステップ２６）。
【００１９】
設定終了後、ストリームの転送を開始すると、エンコード処理を開始し（ステップ２７）、ストリームがなくなるまでエンコード処理を続け（ステップ２９）。なお、図２においてはアルバム情報が見つかった場合においてもステップ２８を経由するようにしているが、無論ステップ２８をジャンプしてそのストリームの終了までエンコード処理を行うようにしてもよい。逆に、このステップ２８を経由するとしても、電子透かし検出を行っていないので、電子透かし検出結果は「検出されず」であるので、全体の流れには影響しない。
【００２０】
なお、上記実施の形態において、ネットワークサーバ６としてＣＤＤＢのようなＴＯＣデータからアルバム情報を取得できるようなものを用いたが、ＴＯＣデータから直接そのＴＯＣ情報を有するものが複製可であるかどうかが判るデータを蓄積しているものであってもよい。あるいは、サーバが複製不可でないもののみのＴＯＣデータを有するものであっても良いものである。
【００２１】
また、上記実施の形態においては、電子透かし検出手段４とエンコード手段３は一個のＤＳＰを時分割で用いるようにしているが、無論これに限ったものではなく、仮に別個のＤＳＰを用いたものであっても電子透かし検出を行わないことで消費電力を低減できるという効果を有する。
【産業上の利用可能性】
【００２２】
本発明は再生用ディスクに記録されている音楽データ等を他の記録データに圧縮して記録する際に私的利用に限り複製が認められているものについては電子透かし検出を省略し、高速でストリームの符号化処理が行えるので、データを他の記録メディアに圧縮して記録する種々の符号化装置に適用することができる。
【図面の簡単な説明】
【００２３】
【図１】本発明による符号化装置の第一の実施例を表すブロック図である。
【図２】本発明による符号化装置の処理のフローを表す流れ図である。
【符号の説明】
【００２４】
１  再生手段
２  コントローラ
３  エンコード手段
４  電子透かし検出手段
５  ネットワーク
６  データベースサーバ
７  記録手段
【図１】
2005129123.tif 000003
【図２】
2005129123.tif 000004